【手続補正書】
【提出日】平成20年7月16日(2008.7.16)
【手続補正１】
【補正対象書類名】特許請求の範囲
【補正対象項目名】全文
【補正方法】変更
【補正の内容】
【特許請求の範囲】
【請求項１】
直線状に所定の間隔で離間して配置した３つ以上の発光点を有する光源手段の各発光点から発せられた複数の光束を偏向手段で偏向し、該偏向手段で偏向された複数の光束を結像光学系で被走査面上に結像させて、該偏向手段の偏向動作により該被走査面を複数の光束で主走査方向に走査するとき、
該被走査面を走査する複数の走査線の中で、副走査方向に最も離間した２本の走査線の間隔を測定手段で測定し、その結果に基づき副走査方向の走査線ピッチ間隔を調整することを特徴とする走査光学装置の走査線ピッチ間隔調整方法。
【請求項２】
ｎ（ｎは３以上の整数）個の発光点が直線状に所定間隔で離間して配置した発光点列が該直線と直交する方向に所定間隔でｍ（ｍは２以上の整数）列配置した光源手段から発せられた複数の光束を偏向手段で偏向し、該偏向手段で偏向された複数の光束を結像光学系で被走査面上に結像させて、該偏向手段の偏向動作により該被走査面を複数の光束で主走査方向に走査するとき、
該被走査面を走査する複数の走査線の中で、副走査方向に最も離間した２本の走査線の間隔を測定手段で測定し、その結果に基づき副走査方向の走査線ピッチ間隔を調整することを特徴とする走査光学装置の走査線ピッチ間隔調整方法。
【請求項３】
ｎ（ｎは３以上の整数）個の発光点が直線状に所定間隔で離間して配置した発光点列が該直線と直交する方向に所定間隔でｍ（ｍは２以上の整数）列配置した光源手段から発せられた複数の光束を偏向手段で偏向し、該偏向手段で偏向された複数の光束を結像光学系で被走査面上に結像させて、該偏向手段の偏向動作により該被走査面を複数の光束で主走査方向に走査するとき、
該被走査面上を走査する複数の走査線の中で、副走査方向に最も離間した２本の走査線の間隔を測定手段で測定する第１工程と、
ｉ列目（ｉ＝１，２，・・・，ｍ−１）のｎ個の発光点から発せられたｎ本の光束によって該被走査面上を走査するときのｎ本の走査線の中で、ｉ＋１列目のｎ個の発光点から発せられたｎ本の光束によって該被走査面上を走査するときのｎ本の走査線に最も近い走査線と、ｉ＋１列目のｎ個の発光点から発せられたｎ本の光束によって該被走査面上を走査するときのｎ本の走査線の中で、ｉ列目のｎ個の発光点から発せられたｎ本の光束によって該被走査面上を走査するときのｎ本の走査線に最も近い走査線との間隔を測定手段で測定する第２工程とを有し、
該第１、第２工程での測定の結果に基づき副走査方向の走査線ピッチ間隔を調整することを特徴とする走査光学装置の走査線ピッチ間隔調整方法。
【請求項４】
前記最も離間した２本の走査線の間隔の測定を、走査有効幅内の少なくとも２ヶ所で測定し、その結果に基づき走査線ピッチ間隔を調整することを特徴とする請求項１、２又は３に記載の走査光学装置の走査線ピッチ間隔調整方法。
【請求項５】
前記被走査面上において、副走査方向に最も離間した２本の走査線の間隔をＬ(mm)、走査線の数をＰｎ、該被走査面上の副走査方向における画素密度をＡ(dot/inch)とするとき、走査有効幅内全域で、
２／３×（Ｐｎ−１）×２５．４／Ａ＜Ｌ＜４／３×（Ｐｎ−１）×２５．４／Ａ
但し、Ｐｎ＝ｎ×ｍ
を満足するように走査線ピッチ間隔を調整することを特徴とする請求項１乃至４の何れか１項に記載の走査光学装置の走査線ピッチ間隔調整方法。
【請求項６】
前記画素密度は１２００ｄｐｉ以上であることを特徴とする請求項５に記載の走査光学装置の走査線ピッチ間隔調整方法。
【請求項７】
前記被走査面上において、副走査方向に最も離間した２本の走査線の間隔をＬ(mm)、同時刻における第１の走査線を描く結像点と第１の走査線と隣り合う第２の走査線を描く結像点とを結んだ直線と第２の走査線の成す角度をθ、同時刻における第１の走査線を描く結像点と第１の走査線と隣り合う第２の走査線を描く結像点とを結んだ直線の長さをａとするとき、
０．９Ｌ／（ｍｎ−１）＜（Ｌ−ａｍ（ｎ−１）ｓｉｎθ）／（ｍ−１）＜１．１Ｌ／（ｍｎ−１）
を満足するように前記走査線ピッチ間隔を調整することを特徴とする請求項２又は３に記載の走査光学装置の走査線ピッチ間隔調整方法。
【請求項８】
前記光源手段を、最も離間した２つの発光点を結ぶ線分の中心を回転中心として光軸回りに回転させて走査線ピッチ間隔調整を行うことを特徴とする請求項１乃至７の何れか１項に記載の走査光学装置の走査線ピッチ間隔調整方法。
【手続補正２】
【補正対象書類名】明細書
【補正対象項目名】発明の名称
【補正方法】変更
【補正の内容】
【発明の名称】走査光学装置の走査線ピッチ間隔調整方法
【手続補正３】
【補正対象書類名】明細書
【補正対象項目名】０００１
【補正方法】変更
【補正の内容】
【０００１】
本発明は走査光学装置の走査線ピッチ間隔調整方法に関し、例えばレーザービームプリンタやデジタル複写機、デジタルＦＡＸ等の電子写真装置に好適なものである。
【手続補正４】
【補正対象書類名】明細書
【補正対象項目名】００１６
【補正方法】変更
【補正の内容】
【００１６】
本発明は走査線ピッチ間隔を所定の値に統一し、ピッチむらや色ずれの発生を抑え高品質な画像を形成することができる走査光学装置の走査線ピッチ間隔調整方法の提供を目的とする。
【手続補正５】
【補正対象書類名】明細書
【補正対象項目名】００１７
【補正方法】変更
【補正の内容】
【００１７】
請求項１の発明の走査光学装置の走査線ピッチ間隔調整方法は、直線状に所定の間隔で離間して配置した３つ以上の発光点を有する光源手段の各発光点から発せられた複数の光束を偏向手段で偏向し、該偏向手段で偏向された複数の光束を結像光学系で被走査面上に結像させて、該偏向手段の偏向動作により該被走査面を複数の光束で主走査方向に走査するとき、
該被走査面を走査する複数の走査線の中で、副走査方向に最も離間した２本の走査線の間隔を測定手段で測定し、その結果に基づき副走査方向の走査線ピッチ間隔を調整することを特徴としている。
【手続補正６】
【補正対象書類名】明細書
【補正対象項目名】００１８
【補正方法】変更
【補正の内容】
【００１８】
請求項２の発明の走査光学装置の走査線ピッチ間隔調整方法は、ｎ（ｎは３以上の整数）個の発光点が直線状に所定間隔で離間して配置した発光点列が該直線と直交する方向に所定間隔でｍ（ｍは２以上の整数）列配置した光源手段から発せられた複数の光束を偏向手段で偏向し、該偏向手段で偏向された複数の光束を結像光学系で被走査面上に結像させて、該偏向手段の偏向動作により該被走査面を複数の光束で主走査方向に走査するとき、
該被走査面を走査する複数の走査線の中で、副走査方向に最も離間した２本の走査線の間隔を測定手段で測定し、その結果に基づき副走査方向の走査線ピッチ間隔を調整することを特徴としている。
【手続補正７】
【補正対象書類名】明細書
【補正対象項目名】００１９
【補正方法】変更
【補正の内容】
【００１９】
請求項３の発明の走査光学装置の走査線ピッチ間隔調整方法は、ｎ（ｎは３以上の整数）個の発光点が直線状に所定間隔で離間して配置した発光点列が該直線と直交する方向に所定間隔でｍ（ｍは２以上の整数）列配置した光源手段から発せられた複数の光束を偏向手段で偏向し、該偏向手段で偏向された複数の光束を結像光学系で被走査面上に結像させて、該偏向手段の偏向動作により該被走査面を複数の光束で主走査方向に走査するとき、
該被走査面上を走査する複数の走査線の中で、副走査方向に最も離間した２本の走査線の間隔を測定手段で測定する第１工程と、
ｉ列目（ｉ＝１，２，・・・，ｍ−１）のｎ個の発光点から発せられたｎ本の光束によって該被走査面上を走査するときのｎ本の走査線の中で、ｉ＋１列目のｎ個の発光点から発せられたｎ本の光束によって該被走査面上を走査するときのｎ本の走査線に最も近い走査線と、ｉ＋１列目のｎ個の発光点から発せられたｎ本の光束によって該被走査面上を走査するときのｎ本の走査線の中で、ｉ列目のｎ個の発光点から発せられたｎ本の光束によって該被走査面上を走査するときのｎ本の走査線に最も近い走査線との間隔を測定手段で測定する第２工程とを有し、
該第１、第２工程での測定の結果に基づき副走査方向の走査線ピッチ間隔を調整することを特徴としている。
【手続補正８】
【補正対象書類名】明細書
【補正対象項目名】００２０
【補正方法】変更
【補正の内容】
【００２０】
請求項４の発明は請求項１、２又は３の発明において、前記最も離間した２本の走査線の間隔の測定を、走査有効幅内の少なくとも２ヶ所で測定し、その結果に基づき走査線ピッチ間隔を調整することを特徴としている。
【手続補正９】
【補正対象書類名】明細書
【補正対象項目名】００２１
【補正方法】変更
【補正の内容】
【００２１】
請求項５の発明は請求項１乃至４のいずれか１項の発明において、前記被走査面上において、副走査方向に最も離間した２本の走査線の間隔をＬ(mm)、走査線の数をＰｎ、該被走査面上の副走査方向における画素密度をＡ(dot/inch)とするとき、走査有効幅内全域で、
２／３×（Ｐｎ−１）×２５．４／Ａ＜Ｌ＜４／３×（Ｐｎ−１）×２５．４／Ａ
但し、Ｐｎ＝ｎ×ｍ
を満足するように走査線ピッチ間隔を調整することを特徴としている。
【手続補正１０】
【補正対象書類名】明細書
【補正対象項目名】００２２
【補正方法】変更
【補正の内容】
【００２２】
請求項６の発明は請求項５の発明において、前記画素密度は１２００ｄｐｉ以上であることを特徴としている。
【手続補正１１】
【補正対象書類名】明細書
【補正対象項目名】００２３
【補正方法】変更
【補正の内容】
【００２３】
請求項７の発明は請求項２又は３の発明において、前記被走査面上において、副走査方向に最も離間した２本の走査線の間隔をＬ(mm)、同時刻における第１の走査線を描く結像点と第１の走査線と隣り合う第２の走査線を描く結像点とを結んだ直線と第２の走査線の成す角度をθ、同時刻における第１の走査線を描く結像点と第１の走査線と隣り合う第２の走査線を描く結像点とを結んだ直線の長さをａとするとき、
０．９Ｌ／（ｍｎ−１）＜（Ｌ−ａｍ（ｎ−１）ｓｉｎθ）／（ｍ−１）＜１．１Ｌ／（ｍｎ−１）
を満足するように前記走査線ピッチ間隔を調整することを特徴としている。
【手続補正１２】
【補正対象書類名】明細書
【補正対象項目名】００２４
【補正方法】変更
【補正の内容】
【００２４】
請求項８の発明は請求項１乃至７のいずれか１項の発明において、前記光源手段を、最も離間した２つの発光点を結ぶ線分の中心を回転中心として光軸回りに回転させて走査線ピッチ間隔調整を行うことを特徴としている。
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】変更
【補正の内容】
【００３１】
本発明によれば光源手段が有する複数の発光点から発せられた複数の光束によって被走査面上を走査するときの複数の走査線の中で、最も離間した２本の走査線の間隔を測定し、その結果に基づき副走査方向の走査線ピッチ間隔を調整することにより、走査線ピッチ間隔を所定の値に統一し、ピッチむらや色ずれの発生を抑え高品質な画像を形成することができる走査光学装置の走査線ピッチ間隔調整方法を達成することができる。
【手続補正２０】
【補正対象書類名】明細書
【補正対象項目名】００３３
【補正方法】変更
【補正の内容】
【００３３】
図１は本発明の実施例１における走査光学装置の走査線ピッチ間隔調整方法の要部概略図である。